(57)【特許請求の範囲】
【請求項１】
コンピュータネットワークを利用して動画や静止画などの映像コンテンツを取引するための映像コンテンツトレーディングサーバであって、
情報提供者端末から、映像コンテンツの素材となる撮影対象の内容、撮影対象の存在する場所および撮影対象に関するイベントの発生日を示す素材情報データと、撮影に対する費用条件、著作権条件および放送局条件を含む前記撮影対象の取材を許可する条件を示す取材許可条件データとを受信する受信手段と、
前記受信された素材情報データと前記受信された取材許可条件データとを記憶する記憶手段と、
前記記憶された素材情報データをコンテンツ製作者端末に送信する送信手段と、
前記コンテンツ製作者端末から前記送信された素材情報データに対する撮影条件（取材許可条件に対応した撮影に対する費用条件、著作権条件、放送局条件、コンテンツ製作者の所在地およびコンテンツ製作者により製作されるコンテンツの放送予定日を含む）を示す撮影申込条件データを受信する受信手段と、
前記受信された撮影申込条件データを記憶する記憶手段と、
前記記憶された撮影申込条件データを、前記取材許可条件データに含まれる撮影に対する費用条件、著作権条件および放送局条件と比較するとともに、前記素材情報データに記述される撮影対象の存在する場所と前記コンテンツ製作者の所在地との距離と、前記素材情報データに記述される撮影対象に関するイベントの発生日と前記コンテンツ製作者により製作されるコンテンツの放送予定日までの期間の長さに基づいて最も合致する撮影申込条件データを選定する選定手段と、
前記選定された撮影申込条件データを送信したコンテンツ製作者端末に対し、撮影による映像コンテンツの製作を指示するデータを送信する送信手段と、
前記映像コンテンツの製作を指示するデータを受信したコンテンツ製作者端末から、送信された映像コンテンツを受信する受信手段と、
前記受信された映像コンテンツを配信する配信手段とを有する、映像コンテンツトレーディングサーバ。
【請求項２】
前記記憶された取材許可条件データには、配信条件データを含み、
配信希望者端末から配信申込条件データを受信する受信手段と、
前記受信された映像コンテンツを前記配信希望者端末に配信する際に、前記配信条件データと前記配信申込条件データとが合致する配信申込条件データを選定する選定手段と、
前記配信手段は、前記選定された配信申込条件データを送信した配信希望者端末に対して配信する機能を有し、
前記映像コンテンツが配信された配信希望者端末に対し、当該映像コンテンツの全部を配信したときに、当該配信希望者端末から配信料の徴収処理を行う徴収処理手段と、
前記徴収した配信料の一部または全部を、当該映像コンテンツを送信したコンテンツ製作者に支払う支払い処理手段とを含む、請求項１に記載の映像コンテンツトレーディングサーバ。
【請求項３】
前記受信された映像コンテンツから静止画データを生成する静止画生成手段を含み、
前記静止画生成手段は、
前記受信された映像コンテンツを再生したときの先頭部分，先頭から５秒後の部分，最後から５秒前の部分，最後の部分における静止画データを生成する機能と、
前記生成された静止画データを提供する機能とを有する、請求項１に記載の映像コンテンツトレーディングサーバ。
【請求項４】
前記受信された映像コンテンツから静止画データを生成する静止画生成手段を含み、
前記静止画生成手段は、
前記受信された映像コンテンツを再生したときの任意の時間における静止画データを生成する機能と、
前記生成された静止画データを提供する機能とを有する、請求項１に記載の映像コンテンツトレーディングサーバ。
【請求項５】
前記映像コンテンツの製作を指示するデータを受信したコンテンツ製作者端末から、取材日情報、静止画データ表示予定日および動画データ表示予定日を含む進捗状況データを受信する進捗状況受信手段と、
前記受信された進捗状況データを送信する進捗状況送信手段とを含む、請求項１に記載の映像コンテンツトレーディングサーバ。
【請求項６】
前記記憶された素材情報データを、前記撮影対象に関するイベントの発生日に関連づけてカレンダ状のＨＴＭＬデータを生成するカレンダ生成手段と、
前記生成されたカレンダ状のＨＴＭＬデータを送信するカレンダ送信手段とを含む、請求項１に記載の映像コンテンツトレーディングサーバ。
【発明の詳細な説明】
【０００１】
【発明の属する技術分野】
本発明は、映像コンテンツトレーディングサーバに関し、特にたとえば、全国各地に潜在する映像コンテンツに関する情報および映像コンテンツデータ自体を迅速に収集することができる映像コンテンツトレーディングサーバに関する。
【０００２】
【従来の技術】
従来、テレビ放送局，ケーブルテレビ放送局，衛星テレビ放送局，インターネット放送局，番組制作会社，個人放送事業者等（以下、単に情報媒体者と称す）は、放送番組で使用する映像コンテンツ（動画，静止画）を自ら製作していた。製作の工程について説明すると、まず、最初に情報媒体者は、全国各地のイベントや事件に関する情報を自らもしくは関係者から入手する。情報媒体者は、入手した情報の中から視聴者が関心を持つようなイベントや事件などの事象の選定を行う。情報媒体者は、取材者を派遣して選定した事象を取材して映像コンテンツを製作する。
【０００３】
【発明が解決しようとする課題】
しかしながら、従来の方法では、入手できる情報が限られているため、全国各地に潜在する事象に関する情報を入手するのは困難であった。また、取材活動は現地に取材者を派遣しなければならないため、人件費，交通費等の多くのコストが発生する問題を含んでいた。情報媒体者は、取材活動に投入可能な人的資源（取材者），資金資源が限られているため、上述した問題から全国各地に存在する事象の一部しか取材することができなかった。このような状況から、放送メディア・放送局が多種・多局化する将来においては、映像コンテンツが不足する問題が予想される。上述の問題を解決するため、取材地近郊に居住する取材能力を有する者を利用して取材活動を行う取り組みが現在進められているが、情報媒体者は取材の進行状況や内容などを逐次確認することが困難であった。そのため、取材した映像コンテンツが期待通りの期限および内容で入手することが困難な場合が多かった。
【０００４】
他方、全国各地には自分の職業や趣味に関して発表の場（放送される場）を求めていても、情報媒体者に取材・放送してもらう方法を知らないため、発表する場を得ることが無く不満を募らせている者が多数存在していた。反対に、話題となったイベントなどについては、全国から情報媒体者らが取材に押しかけてくるために、イベントの進行に支障をきたすなどの弊害が生じていた。
【０００５】
それゆえに、本発明の主たる目的は、全国各地に存在する映像コンテンツに関する情報や映像コンテンツ自体を迅速且つ低コストで入手することができ、全国各地にいる発表の場を求めている者に発表の場を提供する機会を与えることができる映像コンテンツトレーディングシステムを提供することである。
【０００６】
【課題を解決するための手段】
請求項１に記載の発明は、コンピュータネットワークを利用して動画や静止画などの映像コンテンツを取引するための映像コンテンツトレーディングサーバであって、情報提供者端末から、映像コンテンツの素材となる撮影対象の内容、撮影対象の存在する場所および撮影対象に関するイベントの発生日を示す素材情報データと、撮影に対する費用条件、著作権条件および放送局条件を含む撮影対象の取材を許可する条件を示す取材許可条件データとを受信する受信手段と、受信された素材情報データと受信された取材許可条件データとを記憶する記憶手段と、記憶された素材情報データをコンテンツ製作者端末に送信する送信手段と、コンテンツ製作者端末から送信された素材情報データに対する撮影条件（取材許可条件に対応した撮影に対する費用条件、著作権条件、放送局条件、コンテンツ製作者の所在地およびコンテンツ製作者により製作されるコンテンツの放送予定日を含む）を示す撮影申込条件データを受信する受信手段と、受信された撮影申込条件データを記憶する記憶手段と、記憶された撮影申込条件データを、取材許可条件データに含まれる撮影に対する費用条件、著作権条件および放送局条件と比較するとともに、素材情報データに記述される撮影対象の存在する場所とコンテンツ製作者の所在地との距離と、素材情報データに記述される撮影対象に関するイベントの発生日とコンテンツ製作者により製作されるコンテンツの放送予定日までの期間の長さに基づいて最も合致する撮影申込条件データを選定する選定手段と、選定された撮影申込条件データを送信したコンテンツ製作者端末に対し、撮影による映像コンテンツの製作を指示するデータを送信する送信手段と、映像コンテンツの製作を指示するデータを受信したコンテンツ製作者端末から、送信された映像コンテンツを受信する受信手段と、受信された映像コンテンツを配信する配信手段とを有する、映像コンテンツトレーディングサーバである。
【０００７】
請求項２に記載の発明は、記憶された取材許可条件データには、配信条件データを含み、配信希望者端末から配信申込条件データを受信する受信手段と、受信された映像コンテンツを配信希望者端末に配信する際に、配信条件データと配信申込条件データとが合致する配信申込条件データを選定する選定手段と、配信手段は、選定された配信申込条件データを送信した配信希望者端末に対して配信する機能を有し、映像コンテンツが配信された配信希望者端末に対し、映像コンテンツの全部を配信したときに、配信希望者端末から配信料の徴収処理を行う徴収処理手段と、徴収した配信料の一部または全部を、映像コンテンツを送信したコンテンツ製作者に支払う支払い処理手段とを含む、請求項１に記載の映像コンテンツトレーディングサーバである。
【０００８】
請求項３に記載の発明は、受信された映像コンテンツから静止画データを生成する静止画生成手段を含み、静止画生成手段は、受信された映像コンテンツを再生したときの先頭部分，先頭から５秒後の部分，最後から５秒前の部分，最後の部分における静止画データを生成する機能と、生成された静止画データを提供する機能とを有する、請求項１に記載の映像コンテンツトレーディングサーバである。
【０００９】
請求項４に記載の発明は、受信された映像コンテンツから静止画データを生成する静止画生成手段を含み、静止画生成手段は、受信された映像コンテンツを再生したときの任意の時間における静止画データを生成する機能と、生成された静止画データを提供する機能とを有する、請求項１に記載の映像コンテンツトレーディングサーバである。
【００１０】
請求項５に記載の発明は、映像コンテンツの製作を指示するデータを受信した映像コンテンツ製作者端末から、取材日情報、静止画データ表示予定日および動画データ表示予定日を含む進捗状況データを受信する進捗状況受信手段と、受信された進捗状況データを送信する進捗状況送信手段とを含む、請求項１に記載の映像コンテンツトレーディングサーバである。
【００１１】
請求項６に記載の発明は、記憶された素材情報データを、前記撮影対象に関するイベントの発生日に関連づけてカレンダ状のＨＴＭＬデータを生成するカレンダ生成手段と、生成されたカレンダ状のＨＴＭＬデータを送信するカレンダ送信手段とを含む、請求項１に記載の映像コンテンツトレーディングサーバである。
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
本発明の上述の目的，その他の目的，特徴および利点は、図面を参照して行う以下の発明の実施の形態の詳細な説明から一層明らかとなろう。
【００２９】
【発明の実施の形態】
図１は、本発明にかかる映像コンテンツトレーディングサーバを用いて構築した映像コンテンツトレーディングシステムの一実施形態を示す概略図である。映像コンテンツトレーディングシステム１０は、図１に示すように、映像コンテンツトレーディングサーバ１２と情報提供者端末５０とコンテンツ製作者端末１００とネットワーク２００とを含む。
【００３０】
映像コンテンツトレーディングサーバ１２は、動画データや静止画データなどの映像コンテンツデータ自体や映像コンテンツの素材となる撮影対象の内容を示す素材情報データを取引するためのサーバである。映像コンテンツトレーディングサーバ１２は、図２に示すように、ＣＰＵ１４を含む。ＣＰＵ１４は、映像コンテンツトレーディングサーバ１２において各種処理を行うときに演算処理を行う中央演算処理装置である。ＣＰＵ１４には、ＲＯＭ１６が接続されている。ＲＯＭ１６は、映像コンテンツトレーディングサーバ１２が起動時に実行する基本入出力処理プログラムを格納するためのメモリである。また、ＣＰＵ１４にはＲＡＭ１８が接続されている。ＲＡＭ１８は、ＣＰＵ１４において各種演算処理を実行するときに使用するプログラムやデータを一時的に格納するためのメモリである。
【００３１】
さらに、ＣＰＵ１４には出力部２０が接続されている。出力部２０は、ＣＰＵ１４が演算処理することで得られた各種のデータを後述するプリンタ２２等に出力するためのインターフェイスである。出力部２０には、上述したように、プリンタ２２が接続されている。プリンタ２２は、演算処理で得られた請求書データなどの印刷データを紙に印刷するものである。プリンタ２２としては、レーザープリンタ，インクジェットプリンタ，ドットプリンタ，熱転写型プリンタ等を使用する。なお、データを紙等に印刷する必要がない場合には、必ずしもプリンタ２２が接続されなくてもよい。
【００３２】
ＣＰＵ１４には、画像処理部２４が接続されている。画像処理部２４は、ＣＰＵ１４の演算処理結果に基づいて画面表示データを生成するものである。画像処理部２４で生成された画像表示データは、画像処理部２４に接続されたディスプレイ２６により適宜画面として表示される。なお、映像コンテンツトレーディングサーバ１２の処理過程をモニタする必要がない場合には、必ずしもディスプレイ２６が接続される必要はない。
【００３３】
また、ＣＰＵ１４には、記憶装置２８が接続されている。記憶装置２８は、ＣＰＵ１４が各種処理を実行するときに使用するプログラムやデータを記憶したり、ＣＰＵ１４が演算処理により生成したデータやネットワーク２００を介して受信したデータを記憶したりするためのものである。
【００３４】
記憶装置２８には、図３に示すように、ＨＴＴＰサーバ２８ａとメールサーバ２８ｂとデータベース管理システム２８ｃと料金徴収・支払い処理システム２８ｄと画像処理システム２８ｅとが格納されている。ＨＴＴＰサーバ２８ａは、ＨＴＴＰプロトコルに基づいて情報提供者端末５０およびコンテンツ製作者端末１００から要求された各種データを送信したり、情報提供者端末５０等から送信されたデータを受信するためのアプリケーションである。
【００３５】
メールサーバ２８ｂは、情報提供者端末５０およびコンテンツ製作者端末１００から送信された電子メールを受信したり、情報提供者端末５０およびコンテンツ製作者端末１００へ電子メールを送信するためのアプリケーションである。また、メールサーバ２８ｂは、メーリングリスト機能を備えており、図４に示すようなメーリングリストを備えている。メールサーバ２８ｂに設けられた任意のメールアドレスに電子メールが送信されてきたときに、メーリングリストに記載されている全てのメールアドレスへ電子メールを転送する。なお、メーリングリストに記載されているのはコンテンツ製作者のメールアドレスである。
【００３６】
データベース管理システム２８ｃは、情報提供者端末５０およびコンテンツ製作者端末１００から送信された映像コンテンツデータと生成した映像コンテンツデータや映像コンテンツの素材となる撮影対象の内容に関する情報および電子メールの内容のデータを関連付けてデータベースとして記憶し、管理する機能を有するアプリケーションである。料金徴収・支払い処理システム２８ｄは、情報提供者やコンテンツ製作者に対して料金の徴収や支払いの必要が生じた場合に料金の徴収・支払い処理を行うアプリケーションである。
【００３７】
画像処理システム２８ｅは、送信された映像コンテンツデータ（動画データ）から様々な画像データを生成する機能を有するアプリケーションである。機能としては、コンテンツ製作者端末１００から受信した映像コンテンツデータを編集する機能を有する。また、画像処理システム２８ｅは、編集前または編集後の動画データから動画データの先頭部分、先頭から５秒後の部分、最後から５秒前の部分、最後の部分および任意の部分の静止画データを生成する機能を有する。なお、先頭から５秒後の部分、最後から５秒前の部分、最後の部分の静止画データは、画像処理システム２８ｅにより自動的に生成されるが、任意の部分の静止画データは手作業により行われる。さらに、画像処理システム２８ｅは、元の動画データより解像度を低くした動画データを生成する機能を有する。
【００３８】
ＨＴＴＰサーバ２８ａ、メールサーバ２８ｂ、データベース管理システム２８ｃ、料金徴収・支払い処理システム２８ｄ、画像処理システム２８ｅについては、本システムの動作説明時に詳述する。
【００３９】
さらに、ＣＰＵ１４には、入力部３０が接続されている。入力部３０は、図示しないマウス，キーボード，タブレットやスキャナ等の入力装置が接続されるためのインターフェイスであり、このインターフェイスを介して各種の指示命令やデータがＣＰＵ１４に入力される。なお、映像コンテンツトレーディングサーバ１２において各種のデータ入力処理を行わない場合には、キーボードやマウス等の入力装置は、必ずしも入力部３０に接続される必要はない。また、ＣＰＵ１４には、ネットワーク接続部３２が接続されている。ネットワーク接続部３２としては、モデム，ターミナルアダプタやＬＡＮカード等が適用される。そして、ネットワーク接続部３２には、ネットワーク２００が接続される。
【００４０】
情報提供者端末５０は、図５に示すように、ＣＰＵ５２を含む。ＣＰＵ５２は、情報提供者端末５０において各種処理を行うときに演算処理を行う中央演算処理装置である。ＣＰＵ５２には、ＲＯＭ５４が接続されている。ＲＯＭ５４は、情報提供者端末５０の起動時に実行する基本入出力処理プログラムを格納するためのメモリである。また、ＣＰＵ５２にはＲＡＭ５６が接続されている。ＲＡＭ５６は、ＣＰＵ５２において、各種演算処理を実行するときに使用するプログラムやデータを一時的に格納するためのメモリである。
【００４１】
ＣＰＵ５２には、ビデオキャプチャー部５８が接続されている。ビデオキャプチャー部５８は、入力される各種ビデオ信号を動画データや静止画データに変換し、後述する記憶装置６６に記憶する機能を有する。ビデオキャプチャー部５８には、任意な時にＡＶ機器６０が接続される。ＡＶ機器６０には、ビデオデッキ、ビデオカメラなど各種ビデオ信号を出力可能な機器が用いられる。
【００４２】
ＣＰＵ５２には、画像処理部６２が接続されている。画像処理部６２は、ＣＰＵ５２の演算処理の結果に基づいて画面表示データを生成するものである。画像処理部６２には、ディスプレイ６４が接続されている。ディスプレイ６４は、画像処理部６２で生成された画像表示データに基いて画面を表示する。
【００４３】
ＣＰＵ５２には、記憶装置６６が接続されている。記憶装置６６は、ＣＰＵ５２が各種処理を実行するときに使用するプログラムやデータを記憶する。また、記憶装置６６はＣＰＵ５２が演算処理等により生成したデータや受信したデータを記憶する。記憶装置６６に記憶されるアプリケーションとしては、図６に示すように、図示しないＯＳ（operation system）の他に、ＷＷＷブラウザ６６ａとメーラー６６ｂとが記憶されている。ＷＷＷブラウザ６６ａは、映像コンテンツトレーディングサーバ１２から配信されたＨＴＭＬデータに含まれるテキストデータ，静止画データおよび動画データをディスプレイ２６において可視化する。メーラー６６ｂは、適宜なメールサーバと電子メールの送受信を行うためのものである。
【００４４】
ＣＰＵ５２には、入力部６８が接続されている。入力部６８は、後述する入力装置７０を接続するためのインターフェイスである。入力部６８は、入力装置７０から入力された各種の指示信号や各種データをＣＰＵ５２に入力する。入力部６８には、入力装置７０が接続されている。入力装置７０には、キーボード，マウス，タブレット，タッチパネルが使用される。入力装置７０は、各種コマンドを入力するために用いられる。
【００４５】
ＣＰＵ５２には、サウンドカード７２が接続されている。サウンドカード７２には、各種音源チップおよび音声入力部（図示せず）が搭載されており、情報提供者端末５０において音声を再生・録音・入力する機能を提供する。
【００４６】
ＣＰＵ５２には、ネットワーク接続部７４が接続される。ネットワーク接続部７４としては、ＬＡＮカード，モデムやターミナルアダプタ等が用いられ、ネットワーク２００と接続される。ネットワーク接続部７４は、テキストデータや映像コンテンツを送受信する機能を有する。
【００４７】
なお、上述した情報提供者端末５０は、パーソナルコンピュータ，ワークステーション等のコンピュータに、ビデオキャプチャーカードを装着し、適当なＷＷＷブラウザアプリケーションおよびメール送受信アプリケーションをインストールすることで同様の構成とすることができる。また、映像コンテンツトレーディングサーバ１２に対する映像コンテンツの送信を扱わずに、映像コンテンツトレーディングサーバ１２に対して映像コンテンツの素材となる撮影対象の内容に関する情報提供を行う情報提供者端末として使用する場合には、ビデオキャプチャー部５８を装着する必要もない。
【００４８】
コンテンツ製作者端末１００は、図７に示すように、ＣＰＵ１０２を含む。ＣＰＵ１０２は、コンテンツ製作者端末１００において各種処理を行うときに演算処理を行う中央演算処理装置である。ＣＰＵ１０２には、ＲＯＭ１０４が接続されている。ＲＯＭ１０４は、コンテンツ製作者端末１００起動時に実行する基本入出力処理プログラムを格納するためのメモリである。また、ＣＰＵ１０２にはＲＡＭ１０６が接続されている。ＲＡＭ１０６は、ＣＰＵ１０２において、各種演算処理を実行するときに使用するプログラムやデータを一時的に格納するためのメモリである。
【００４９】
ＣＰＵ１０２には、ビデオキャプチャー部１０８が接続されている。ビデオキャプチャー部１０８は、入力される各種のビデオ信号を動画データや静止画データに変換し、後述する記憶装置１１６に記録する機能を有する。ビデオキャプチャー部１０８には、任意な時にＡＶ機器１１０が接続される。ＡＶ機器１１０には、ビデオデッキ、ビデオカメラなどの各種ビデオ信号の出力可能な機器が用いられる。
【００５０】
ＣＰＵ１０２には、画像処理部１１２が接続されている。画像処理部１１２は、ＣＰＵ１０２の演算処理の結果に基づいて画面表示データを生成するものである。画像処理部１１２には、ディスプレイ１１４が接続されている。ディスプレイ１１４は、画像処理部１１２で生成された画像表示データに基づいて画面を表示する。
【００５１】
ＣＰＵ１０２には、記憶装置１１６が接続されている。記憶装置１１６は、ＣＰＵ１０２が各種処理を実行するときに使用するプログラムやデータを記憶する。また、記憶装置１１６はＣＰＵ１０２が演算処理等により生成したデータや受信したデータを記憶する。記憶装置１１６に記憶されるアプリケーションとしては、図８に示すように、図示しないＯＳ（operation system）の他に、ＷＷＷブラウザ１１６ａとメーラー１１６ｂが記憶されている。ＷＷＷブラウザ１１６ａは、映像コンテンツトレーディングサーバ１２から配信されたＨＴＭＬデータに含まれるテキストデータ，静止画データおよび動画データをディスプレイ１１４において可視化する。メーラー１１６ｂは、設定をおこなったメールサーバと電子メールの送受信を行うためのものである。
【００５２】
ＣＰＵ１０２には、入力部１１８が接続されている。入力部１１８は、後述する入力装置１２０を接続するためのインターフェイスである。入力部１１８は、入力装置１２０から入力された各種の指示信号や各種データをＣＰＵ１０２に入力する。入力部１１８には、入力装置１２０が接続されている。入力装置１２０には、キーボード，マウス，タブレット，タッチパネルが使用される。入力装置１２０は、各種コマンドを入力するために用いられる。
【００５３】
ＣＰＵ１０２には、サウンドカード１２２が接続されている。サウンドカード１２２には、各種音源チップおよび音声入力部（図示せず）が搭載されており、コンテンツ製作者端末１００において音声を再生・録音・入力する機能を提供する。
【００５４】
ＣＰＵ１０２には、ネットワーク接続部１２４が接続される。ネットワーク接続部１２４としては、ＬＡＮカード，モデムやターミナルアダプタ等が用いられ、ネットワーク２００と接続される。ネットワーク接続部１２４は、テキストデータや映像コンテンツを送受信する機能を有する。
【００５５】
なお、上述したようにコンテンツ製作者端末１００は、情報提供者端末５０と同様な構成を有しており、パーソナルコンピュータ，ワークステーション等のコンピュータに、ビデオキャプチャーカードを装着し、適当なＷＷＷブラウザアプリケーションおよびメール送受信アプリケーションをインストールすることで構成することができる。
【００５６】
図９は、映像コンテンツトレーディングシステムの一動作例を示すフローチャート図である。映像コンテンツの素材となる撮影対象の内容を示す素材情報データをやり取りする場合について説明する。
【００５７】
まず、ステップＳ１において、映像コンテンツトレーディングサーバ１２は、情報提供者端末５０に対して、映像コンテンツの素材となる撮影対象の内容を示す素材情報データと撮影対象の取材を許可する条件を示す取材許可条件データを入力するための入力フォームデータを送信する。入力フォームデータは、ＨＴＭＬデータにより記載されており、情報提供者端末５０のＷＷＷブラウザ６６ａにより入力フォームがディスプレイ６４に表示される。
【００５８】
ステップＳ２においては、情報提供者端末５０の入力装置７０により映像コンテンツの素材となる撮影対象の内容を示す素材情報データと撮影対象の取材を許可する条件を示す取材許可条件データが入力される。なお、素材情報データとは、全国各地で開催される各種イベントに関する情報や特殊な技能を有する個人に関する情報など情報媒体で放送可能なあらゆる事柄をいう。また、取材許可条件データとは、撮影に対する費用（取材費用）の条件、著作権の所在・配分等の著作権条件、放送対象となる映像コンテンツを放送する放送局の希望条件等のことをいう。
【００５９】
ステップＳ３においては、入力フォーム内に設けられている送信ボタンがクリックされることで、入力された素材情報データと取材許可条件データが映像コンテンツトレーディングサーバ１２に送信される。
【００６０】
ステップＳ４においては、素材情報データと取材許可条件データがＨＴＴＰサーバ２８ａにより受信される。
【００６１】
ステップＳ５においては、素材情報データと取材許可条件データがデータベース管理システム２８ｃにより任意に検索・抽出可能なデータとして記憶される。
【００６２】
ステップＳ６においては、図示しないＣＧＩやスクリプトプログラムにより素材情報データが取出され、ＨＴＴＰサーバ２８ａにより配信可能なＨＴＭＬデータに変換される。なお、変換により生成されたＨＴＭＬデータは、コンテンツ製作者端末１００により素材情報データに対するコンテンツ製作者の撮影条件を示すデータである撮影申込条件データが入力できるような入力フォームも備えたページとなるように生成される。
【００６３】
ステップＳ７においては、映像コンテンツトレーディングサーバ１２にアクセスしてきたコンテンツ製作者端末１００に素材情報データを含むＨＴＭＬデータがＨＴＴＰサーバ２８ａにより配信される。
【００６４】
ステップＳ８においては、コンテンツ製作者端末１００の入力部１１８を用いてコンテンツ製作者により撮影申込条件データが入力される。
【００６５】
ステップＳ９においては、入力フォーム内に設けられている送信ボタンがクリックされることで、入力された撮影申込条件データが映像コンテンツトレーディングサーバ１２に送信される。
【００６６】
ステップＳ１０においては、撮影申込条件データがＨＴＴＰサーバ２８ａにより受信される。ここで、撮影申込条件データとは、取材許可条件データに対応した内容（撮影に対する費用（取材費用）の条件、著作権の所在・配分等の著作権条件、放送局条件、その他の取材条件（コンテンツ製作者の所在地、コンテンツ製作者により製作されるコンテンツの放送予定日））のことをいう。
【００６７】
ステップＳ１１においては、撮影申込条件データが、データベース管理システム２８ｃにより、上記送信された素材情報データと取材許可条件データとに関連付けられて記憶される。
【００６８】
なお、ステップＳ７からステップＳ１１までの処理は、映像コンテンツトレーディングサーバ１２にアクセスしてきたコンテンツ製作者端末１００のそれぞれに対して行われ、単数または複数の撮影申込条件データが、上記送信された素材情報データと取材許可条件データとに関連付けられて記憶される。
【００６９】
ステップＳ１２においては、データベース管理システム２８ｃにより、取材許可条件データの内容と条件が最も合致する撮影申込条件データの選定が行われる。たとえば、取材者により入力された撮影申込条件データは、撮影に対する費用条件、著作権条件、放送局条件、素材情報データに記述される撮影対象の存在場所および素材情報データに記述される撮影対象に関するイベントの発生日、の各パラメータを比較して選定される。なお、選定が行われる前に撮影申込条件データに含まれるデータに対して、任意の係数により補正が行われてもよい。具体的な係数としては、素材情報データに記述される撮影対象の存在場所とコンテンツ製作者の所在場所との距離の大きさに基づいてデータを補正する係数や、素材情報データに記述される撮影対象に関するイベントの発生日とコンテンツ製作者により製作されたコンテンツの放送予定日までの期間の長さに基づいてデータを補正する係数など、映像コンテンツの流通性やタイムリー性を高めるために適宜な係数が設定される。
【００７０】
ステップＳ１３においては、選定された撮影申込条件データを入力・送信してきたコンテンツ製作者に対して撮影により映像コンテンツの製作を指示する内容（データ）がメールサーバ２８ｂにより送信される。
【００７１】
コンテンツ製作者により取材が行われることにより映像コンテンツの製作が行われる。
【００７２】
ステップＳ１４においては、コンテンツ製作者により製作された映像コンテンツが映像コンテンツトレーディングサーバ１２に送信される。
【００７３】
ステップＳ１５においては、送信されてきた映像コンテンツが、対応する素材情報データと取材許可条件データとに関連付けられて記憶される。
【００７４】
ステップＳ１６においては、複数のコンテンツ製作者により撮影申込条件データが送信されてきた場合に、映像コンテンツを製作しなかったコンテンツ製作者に対して映像コンテンツの配信が行われる。また、取材許可条件データに映像コンテンツの配信を希望する旨を示すデータが含まれていた場合には、許可条件データを入力した情報提供者端末５０に対して映像コンテンツが配信されてもよい。
【００７５】
続いて、図１０を参照しながら、情報提供者端末５０から映像コンテンツ自体が配信される場合について説明する。なお、図１０は、映像コンテンツトレーディングシステムのその他の動作例を示すフローチャート図である。
【００７６】
まず、ステップＳ２１において、映像コンテンツトレーディングサーバ１２は情報提供者端末５０に対して、映像コンテンツの内容を簡単に説明する映像コンテンツ説明データと映像コンテンツの配信の条件を示す配信条件データを記入して映像コンテンツトレーディングサーバ１２に送信する機能を有する入力フォームデータを送信する。入力フォームデータは、先程と同様に、ＨＴＭＬデータにより記載されており、情報提供者端末５０のＷＷＷブラウザ６６ａにより入力フォームがディスプレイ６４に表示される。
【００７７】
ステップＳ２２においては、情報提供者端末５０の入力装置７０により映像コンテンツの内容を簡単に説明する映像コンテンツ説明データと映像コンテンツの配信の条件を示す配信条件データとが入力される。なお、配信条件データとは、映像コンテンツをコンテンツ製作者に対して配信する場合に映像コンテンツ使用料をコンテンツ製作者から徴収するか否か、映像コンテンツ使用料を徴収する場合にはその価格、映像コンテンツをコンテンツ製作者に配信する場合に発生する料金を支払っても配信を希望するか否か、著作権の所在・配分、映像コンテンツの放送時期、放送地域などの情報提供者が送信した映像コンテンツの取扱いに関して希望する条件のことをいう。
【００７８】
ステップＳ２３においては、入力フォーム内に設けられている送信ボタンがクリックされることで、入力された映像コンテンツ説明データと配信条件データおよび映像コンテンツが映像コンテンツトレーディングサーバ１２に送信される。
【００７９】
ステップＳ２４においては、映像コンテンツ説明データと配信条件データおよび映像コンテンツがＨＴＴＰサーバ２８ａにより受信される。
【００８０】
ステップＳ２５においては、映像コンテンツ説明データと配信条件データおよび映像コンテンツがデータベース管理システム２８ｃにより任意に検索・抽出可能なデータとして記憶される。
【００８１】
ステップＳ２６においては、図示しないＣＧＩやスクリプトプログラムにより映像コンテンツ説明データと配信条件データおよび映像コンテンツが取出され、ＨＴＴＰサーバ２８ａにより配信可能なＨＴＭＬデータに変換される。なお、変換により生成されたＨＴＭＬデータは、コンテンツ製作者端末１００により映像コンテンツに対するコンテンツ製作者の配信条件を示すデータである配信申込条件データが入力できるような入力フォームも備えたページとなるように生成される。なお、映像コンテンツはそのまま放送されないように、映像コンテンツの一部が配信されるように処理されることが望ましい。
【００８２】
ステップＳ２７においては、映像コンテンツトレーディングサーバ１２にアクセスしてきたコンテンツ製作者端末１００にステップＳ２６において生成されたＨＴＭＬデータがＨＴＴＰサーバ２８ａにより配信される。
【００８３】
ステップＳ２８においては、コンテンツ製作者端末１００の入力部１１８を用いてコンテンツ製作者により配信申込条件データが入力される。
【００８４】
ステップＳ２９においては、入力フォーム内に設けられている送信ボタンがクリックされることで、入力された配信申込条件データが映像コンテンツトレーディングサーバ１２に送信される。
【００８５】
ステップＳ３０においては、配信申込条件データがＨＴＴＰサーバ２８ａにより受信される。
【００８６】
ステップＳ３１においては、配信申込条件データがデータベース管理システム２８ｃにより、対応する映像コンテンツ説明データと配信条件データおよび映像コンテンツとに関連付けられて記憶される。
【００８７】
なお、ステップＳ２７からステップＳ３１までの処理は、映像コンテンツトレーディングサーバ１２にアクセスしてきたコンテンツ製作者端末１００のそれぞれに対して行われ、単数または複数の配信申込条件データが、上記送信された映像コンテンツ説明データと配信条件データおよび映像コンテンツとに関連付けられて記憶される。
【００８８】
ステップＳ３２においては、データベース管理システム２８ｃにより、配信条件データの内容と配信申込条件データの内容が合致するか判断される。なお、判断が行われる前に、配信申込条件データに含まれるデータに対して任意の係数により補正処理が行われてもよい。
【００８９】
ステップＳ３３においては、条件が合致すると判断された配信申込条件データを入力・送信してきたコンテンツ製作者に対して映像コンテンツ全部の配信がメールサーバ２８ｂにより送信される。
【００９０】
ステップＳ３４においては、コンテンツ製作者に映像コンテンツの全部を配信することで映像コンテンツ使用料の徴収・支払いや配信料の徴収などの必要が生じた場合、料金徴収・支払い処理システム２８ｄにより処理が行われる。なお、料金の徴収や支払い処理は、クレジットカードやデビットカードなどを用いて電算処理により行われてもよいし、請求書等の帳票をプリンタ２２によって出力し、任意の手段によりコンテンツ製作者に届くように構成されてもよい。
【００９１】
引き続いて、図１１を参照しながら、映像コンテンツトレーディングサーバ１２から映像コンテンツが配信される別の場合について説明する。なお、図１１は、映像コンテンツトレーディングシステムのさらにその他の動作例を示すフローチャート図である。
【００９２】
まず、ステップＳ４１において、映像コンテンツトレーディングサーバ１２は、情報提供者端末５０に対して、映像コンテンツの素材となる撮影対象の内容を示す素材情報データと撮影対象の撮影を許可する条件を示す取材許可条件データを入力するための入力フォームデータを送信する。詳細な手順について説明すると、素材情報データと取材許可条件データを入力しようとする者は、映像コンテンツトレーディングサーバ１２のホームページにアクセスし、図１２に示すような、素材情報データの一部（題名）が一覧表示されているページを表示させる。素材情報データと取材許可条件データを入力しようとする者は、素材情報データを書き込む日付が表示されている部分をクリックすることで、図１３に示すような入力フォームページ（入力フォームデータ）を受信する。なお、この入力フォームへは、アクセス制限など設けずに誰もがアクセスして入力できるように構成することが望ましい。
【００９３】
ステップＳ４２においては、図１４に示すように、情報提供者端末５０の入力装置７０により映像コンテンツの素材となる撮影対象の内容を示す素材情報データと取材許可条件データを入力する。
【００９４】
ステップＳ４３においては、入力フォーム内に設けられている「書き込み」ボタンがクリックされることで、入力された素材情報データと取材許可条件データが映像コンテンツトレーディングサーバ１２に送信される。
【００９５】
ステップＳ４４においては、素材情報データと取材許可条件データがＨＴＴＰサーバ２８ａにより受信される。
【００９６】
ステップＳ４５においては、素材情報データと取材許可条件データがデータベース管理システム２８ｃにより任意に検索・抽出可能なデータとして記憶される。
【００９７】
ステップＳ４６においては、図示しないＣＧＩやスクリプトプログラムにより素材情報データが取出され、ＨＴＴＰサーバ２８ａにより配信可能なＨＴＭＬデータに変換される。取出された素材情報データは、撮影対象に関するイベントの発生日に関連づけたカレンダ状のＨＴＭＬデータに変換され、素材情報データを一覧可能としている。図１５に示すように、この実施形態においては、２ヶ月分の素材情報データが一覧できるようにページを生成している。
【００９８】
ステップＳ４７においては、映像コンテンツトレーディングサーバ１２にアクセスしてきたコンテンツ製作者端末１００に素材情報データと取材許可条件データの一部（題名）を含むＨＴＭＬデータがＨＴＴＰサーバ２８ａにより配信される。
【００９９】
ステップＳ４８においては、コンテンツ製作者端末１００の入力部１１８により撮影申込条件データが入力される。撮影申込条件データの入力の手順は、まず、図１５のようにカレンダ表示された素材情報データのうち撮影の申込みを行うイベントが表示されている部分をクリックすることから行われる。クリックすることで、図１６に示すようなページが配信される。ページ内には、ステップＳ４２において記入された内容と同等の内容が記載されている。撮影申込条件データの入力を行う者は、ページに記載された内容を確認した後、ページ内に設けられた「条件記入」のボタンをクリックし、配信された入力用フォームページ内に条件を記入する。撮影申込条件データには、取材許可条件データに対応した内容（撮影に対する費用（取材費用）の条件、著作権の所在・配分等の著作権条件、放送局条件、その他の取材条件（コンテンツ製作者の所在地、コンテンツ製作者により製作されるコンテンツの放送予定日））、映像コンテンツの納品期限、利用料金の他、映像コンテンツの利用形態（編集可能か否か等）などの様々な条件を記入することができるように構成されている。
【０１００】
ステップＳ４９においては、撮影申込条件データを入力する入力フォーム内に設けられている送信ボタンがクリックされることで、入力された撮影申込条件データが映像コンテンツトレーディングサーバ１２に送信される。
【０１０１】
ステップＳ５０においては、撮影申込条件データがＨＴＴＰサーバ２８ａにより受信される。
【０１０２】
ステップＳ５１においては、撮影申込条件データがデータベース管理システム２８ｃにより、対応する素材情報データと取材許可条件データとに関連付けられて記憶される。
【０１０３】
なお、ステップＳ４７からステップＳ５１までの処理は、映像コンテンツトレーディングサーバ１２にアクセスしてきたコンテンツ製作者端末１００それぞれに対して行われ、単数または複数の撮影申込条件データが、対応する素材情報データと取材許可条件データとに関連付けられて記憶される。
【０１０４】
ステップＳ５２においては、データベース管理システム２８ｃにより、取材許可条件データと合致する撮影申込条件データの選定が行われる。たとえば、コンテンツ製作者により入力された撮影申込条件データは、撮影に対する費用条件、著作権条件、放送局条件、素材情報データに記述される撮影対象の存在場所および素材情報データに記述される撮影対象に関するイベントの発生日、の各パラメータを、取材許可条件データと比較して選定される。なお、選定が行われる前に撮影申込条件データに含まれるデータに対して、任意の係数により補正が行われてもよい。具体的な係数としては、料金データに対して、上述したように素材情報データに記述される撮影対象の存在場所とコンテンツ製作者の所在場所との距離の大きさに基づいて値を補正する係数や、素材情報データに記述される撮影対象に関するイベントの発生日とコンテンツ製作者により製作されたコンテンツの放送予定日までの期間の長さに基づいて値を補正する係数など、映像コンテンツの流通性やタイムリー性を高めるために適宜な係数が設定される。
【０１０５】
ステップＳ５３においては、選定された撮影申込条件データを入力・送信してきたコンテンツ製作者に対して撮影により映像コンテンツの製作を指示する内容（データ）がメールサーバ２８ｂにより送信される。
【０１０６】
ここで、コンテンツ製作者により取材が行われることにより映像コンテンツの製作が行われる。なお、情報提供者や当該映像コンテンツの配信を希望する者が、映像コンテンツ製作の進捗状況を確認したい場合には、図１６に示すページ内に設けられている「進捗状況」ボタンをクリックすることにより、図１７に示すようなページによって進捗状況を確認することが可能である。また、情報提供者や当該映像コンテンツの配信を希望する者が、コンテンツ製作者に要望がある場合には、図１７に示すページ内に設けられている「要望」ボタンをクリックすることにより、要望内容を記入するページが表示され、内容を記入した後、任意のボタンをクリックすることにより電子メールにより要望の内容がコンテンツ製作者に送信される。
【０１０７】
ステップＳ５４においては、コンテンツ製作者により製作された映像コンテンツが映像コンテンツトレーディングサーバ１２に送信される。
【０１０８】
ステップＳ５５においては、送信されてきた映像コンテンツが、それに対応した素材情報データに関連付けられて記憶される。
【０１０９】
ステップＳ５６においては、受信した映像コンテンツデータから静止画データの生成が行われる。図１８に示すように、コンテンツ製作者により送信された映像コンテンツデータを再生したときの先頭部分，先頭から５秒後の部分，最後から５秒前の部分，最後の部分の静止画データが画像処理ソフトにより生成される。なお、生成する静止画データとして、以上の部分についてのみではなく、作業者によりその映像コンテンツデータの特徴を最も表している部分の静止画データが生成されてもよい。生成された静止画データは、ＨＴＴＰサーバ２８ａにより、閲覧可能なようにＨＴＴＰサーバ２８ａの管理ディレクトリに記録される。なお、この静止画データは、図１７中に示す「閲覧」ボタンをクリックすることにより閲覧が可能であるが、閲覧ページには任意のＩＤ，パスワードを入力することで閲覧可能となるようにアクセス制限されている。
【０１１０】
ステップＳ５７においては、画像処理システム２８ｅにより編集作業が実施され、映像コンテンツデータから画像解像度を低くした動画データが画像処理ソフトにより生成される。生成される動画データとしては、RealNetwoks社のRealPlayer（登録商標）で再生可能なリアルビデオ形式やMicrosoft社のWindows MediaPlayerで再生可能なWindows Mediaファイル形式やMpeg形式，Avi形式等が生成される。なお、配信される動画データとしては、ネットワーク配信によりストリーム再生を行える動画データが望ましい。この動画データは、図１７中に示す「閲覧」ボタンをクリックすることにより閲覧が可能であるが、閲覧ページには任意のＩＤ，パスワードを入力することで閲覧可能となるようにアクセス制限されている。
【０１１１】
ステップＳ５８においては、画像処理システム２８ｅにより編集作業が実施された編集済み映像コンテンツデータが生成される。この映像コンテンツデータは動画データではあるがステップＳ５７で生成された動画データとは異なり画像解像度は元の画像解像度と等しいもしくは放送に十分利用できる画像解像度で生成される。生成される映像コンテンツのデータ形式としては、mpeg形式やデジタルビデオ機が使用するフォーマット形式が用いられる。生成された動画データは、静止画データと同様に、ＨＴＴＰサーバ２８ａにより、閲覧可能なようにＨＴＴＰサーバ２８ａの管理ディレクトリに記録される。なお、この動画データは、図１７に示す「ダウンロード」ボタンをクリックすることによりダウンロードが可能であるが、配信ページには任意のＩＤ，パスワードを入力することで閲覧可能となるようにアクセス制限されている。
【０１１２】
以上のステップを経た後、ステップＳ５６、ステップＳ５７、ステップＳ５８において生成された静止画データ、動画データ、編集済み映像コンテンツは、図１７中の「閲覧」「ダウンロード」ボタンをクリックして適宜な料金を支払うことにより提供される。例えば、編集済み映像コンテンツの場合は、５万円、動画データの場合は、編集済み映像コンテンツの価格の６０パーセントである３万円、静止画データの場合は、編集済み映像コンテンツの価格の２５パーセントである１万２千５百円という料金で提供される。なお、撮影申込条件データと取材許可条件データの条件が合致した者については、予め静止画データ、動画データ、編集済み映像コンテンツすべてが閲覧可能な状態に設定されているが、途中で映像コンテンツの閲覧・配信をキャンセルしたいときには、図１６に示すページ内に設けられている「放送キャンセル」ボタンをクリックし、任意のＩＤ，パスワードを入力することによりキャンセルを行うことが可能である。キャンセルした場合には、静止画データ、動画データの閲覧状況から価格が算出され、請求が行われる。
【０１１３】
なお、この料金は、一例に過ぎず、その他の設定により提供がおこなわれてもよい。また、料金についても変動するように構成されてもよく、例えば、３者が映像コンテンツの購入した場合には、最初に設定した価格の７０パーセントの料金で提供するように構成したり、取材した日付から１０日を過ぎたら７０パーセントの料金で提供するように構成してもよい。また、ステップＳ４８において、購入者は支払ってもよいと考える最高価格および期限を入力し、そのデータをデータベース管理システム２８ｃに記録しておき、映像コンテンツの価格が変動して期限内に購入可能価格となった場合、その購入者が映像コンテンツを閲覧可能となるように構成してもよい。この場合には、適宜、その購入者にＩＤ，パスワードを発行し、ＨＴＴＰサーバ２８ａによるその購入者に対するアクセス制限が解除される。
【０１１４】
【発明の効果】
この発明によれば、全国各地に存在する映像コンテンツに関する情報や映像コンテンツ自体を迅速且つ低コストで入手することができ、全国各地にいる発表の場を求めている者に発表の場を提供する機会を与えることができる。
【図面の簡単な説明】
【図１】  本発明にかかる映像コンテンツトレーディングサーバを用いて構築した映像コンテンツトレーディングシステムの一実施形態を示す概略図である。
【図２】  映像コンテンツトレーディングサーバを示すブロック図である。
【図３】  映像コンテンツトレーディングサーバの記憶装置内を示す概念図である。
【図４】  メーリングリストを示す概念図である。
【図５】  情報提供者端末を示すブロック図である。
【図６】  情報提供者端末の記憶装置内を示す概念図である。
【図７】  コンテンツ製作者端末を示すブロック図である。
【図８】  コンテンツ製作者端末の記憶装置内を示す概念図である。
【図９】  映像コンテンツトレーディングシステムの一動作例を示すフローチャート図である。
【図１０】  映像コンテンツトレーディングシステムのその他の動作例を示すフローチャート図である。
【図１１】  映像コンテンツトレーディングシステムのさらにその他の動作例を示すフローチャート図である。
【図１２】  素材情報データの一部が一覧表示されているページを示す図解図である。
【図１３】  素材情報データを入力する入力フォームページを示す図解図である。
【図１４】  素材情報データが入力された入力フォームページを示す図解図である。
【図１５】  素材情報データの一部が一覧表示されているページを示す別の図解図である。
【図１６】  取材する映像コンテンツに関する情報が表示されたページを示す別の図解図である。
【図１７】  進捗状況を表示するページを示す別の図解図である。
【図１８】  静止画データを示す図解図である。
【符号の説明】
１０  映像コンテンツトレーディングシステム
１２  映像コンテンツトレーディングサーバ
１４  ＣＰＵ
１６  ＲＯＭ
１８  ＲＡＭ
２０  出力部
２２  プリンタ
２４  画像処理部
２６  ディスプレイ
２８  記憶装置
２８ａ  ＨＴＴＰサーバ
２８ｂ  メールサーバ
２８ｃ  データベース管理システム
２８ｄ  料金徴収・支払い処理システム
２８ｅ  画像処理システム
３０  入力部
３２  ネットワーク接続部
５０  情報提供者端末
５２  ＣＰＵ
５４  ＲＯＭ
５６  ＲＡＭ
５８  ビデオキャプチャー部
６０  ＡＶ機器
６２  画像処理部
６４  ディスプレイ
６６  記憶装置
６６ａ  ＷＷＷブラウザ
６６ｂ  メーラー
１００  コンテンツ製作者端末
１０２  ＣＰＵ
１０４  ＲＯＭ
１０６  ＲＡＭ
１０８  ビデオキャプチャー部
１１０  ＡＶ機器
１１２  画像処理部
１１４  ディスプレイ
１１６  記憶装置
２００  ネットワーク
【図１】
0004122145.tif 000002
【図２】
0004122145.tif 000003
【図３】
0004122145.tif 000004
【図４】
0004122145.tif 000005
【図５】
0004122145.tif 000006
【図６】
0004122145.tif 000007
【図７】
0004122145.tif 000008
【図８】
0004122145.tif 000009
【図９】
0004122145.tif 000010
【図１０】
0004122145.tif 000011
【図１１】
0004122145.tif 000012
【図１２】
0004122145.tif 000013
【図１３】
0004122145.tif 000014
【図１４】
0004122145.tif 000015
【図１５】
0004122145.tif 000016
【図１６】
0004122145.tif 000017
【図１７】
0004122145.tif 000018
【図１８】
0004122145.tif 000019